(57)【要約】【課題】事物を比較する際に物理要素の指定を不要し、ユーザに対し比較を容易に行えるような比較結果情報を提示するための技術を提供する。【解決手段】構造化処理部１４は、物理要素ＤＢ２における事物ＩＤと該当の物理要素名と該当の物理要素値の組について、当該組の物理要素名の物理要素に関する全ての物理要素値で、当該組の物理要素値を正規化してなる要素値を計算するとともに、印象ＤＢ５における事物ＩＤと該当の物理要素名の組について、当該組に関する全ての印象単語重要度を正規化してなる重み値を計算し、当該要素値と当該重み値とを含む物理要素値重み情報を生成し、当該物理要素値重み情報と当該事物ＩＤとを含むレコードを構造化ＤＢ６に生成する。【選択図】図１
2015121915.tif 000002
【特許請求の範囲】
【請求項１】
事物に関する物理要素の物理要素名、当該物理要素について当該事物がもつ物理要素値を含む物理要素情報と当該事物の事物ＩＤとを含むレコードが蓄積される物理要素ＤＢを用いて、前記物理要素名と当該物理要素名の物理要素について対象ユーザが使用する印象単語とを含む対応付情報を物理要素印象単語対応付ＤＢに生成する印象対応付処理部と、
前記事物ＩＤと印象単語の組につき、該当の事物に対して当該印象単語が重要であると前記対象ユーザが感じる程度を示す印象単語重要度、当該印象単語を含む印象単語重要度情報を生成し、各事物ＩＤにつき、該当の印象単語重要度情報と事物ＩＤとを含むレコードを印象ＤＢに生成する印象抽出処理部と、
前記物理要素ＤＢにおける事物ＩＤと該当の物理要素名と該当の物理要素値の組について、当該組の物理要素名の物理要素に関する全ての物理要素値で、当該組の物理要素値を正規化してなる要素値を計算するとともに、前記印象ＤＢにおける事物ＩＤと該当の物理要素名の組について、当該組に関する全ての印象単語重要度を正規化してなる重み値を計算し、当該要素値と当該重み値とを含む物理要素値重み情報を生成し、当該物理要素値重み情報と当該事物ＩＤとを含むレコードを構造化ＤＢに生成する構造化処理部と
を備えることを特徴とする情報提示装置。
【請求項２】
前記全ての物理要素値の最大値または当該物理要素値の取り得る最大値をｕｉ，ｍａｘ、
前記全ての物理要素値の最小値または当該物理要素値の取り得る最小値をｕｉ，ｍｉｎ、
前記組の物理要素値をｕｘ,ｉ、
前記要素値をｖｘ,ｉとした場合、
【数３】
2015121915.tif 000005
であることを特徴とする請求項１記載の情報提示装置。
【請求項３】
前記全ての印象単語重要度の最大値をｑｘ，ｉ，ｍａｘ、
前記全ての印象単語重要度の総和をｑｘ，ｉ、
前記重み値をＷｘ，ｉとした場合、
【数４】
2015121915.tif 000006
であることを特徴とする請求項１または２記載の情報提示装置。
【請求項４】
事物に関する物理要素の物理要素名、当該物理要素について当該事物がもつ物理要素値を含む物理要素情報と当該事物の事物ＩＤとを含むレコードが蓄積される物理要素ＤＢを用いて、前記物理要素名と当該物理要素名の物理要素について対象ユーザが使用する印象単語とを含む対応付情報を物理要素印象単語対応付ＤＢに生成するステップと、
前記事物ＩＤと印象単語の組につき、該当の事物に対して当該印象単語が重要であると前記対象ユーザが感じる程度を示す印象単語重要度、当該印象単語を含む印象単語重要度情報を生成し、各事物ＩＤにつき、該当の印象単語重要度情報と事物ＩＤとを含むレコードを印象ＤＢに生成するステップと、
前記物理要素ＤＢにおける事物ＩＤと該当の物理要素名と該当の物理要素値の組について、当該組の物理要素名の物理要素に関する全ての物理要素値で、当該組の物理要素値を正規化してなる要素値を計算するとともに、前記印象ＤＢにおける事物ＩＤと該当の物理要素名の組について、当該組に関する全ての印象単語重要度を正規化してなる重み値を計算し、当該要素値と当該重み値とを含む物理要素値重み情報を生成し、当該物理要素値重み情報と当該事物ＩＤとを含むレコードを構造化ＤＢに生成するステップと
を備えることを特徴とする情報提示装置の動作方法。
【請求項５】
情報提示装置の動作方法であって、
事物と当該事物が属するカテゴリとが入力されたことを契機として、前記事物の事物名と前記カテゴリに属する事物の事物名と当該両事物に関する物理要素名および物理要素値をあわせて表示する
ことを特徴とする情報提示装置の動作方法。
【請求項６】
請求項１ないし３のいずれかに記載の情報提示装置としてコンピュータを機能させるためのコンピュータプログラム。
【請求項７】
情報提示装置としてコンピュータを機能させるためのコンピュータプログラムであって、
事物と当該事物が属するカテゴリとが入力されたことを契機として、前記事物の事物名と前記カテゴリに属する事物の事物名と当該両事物に関する物理要素名および物理要素値をあわせて表示する
ようにコンピュータを機能させるためのコンピュータプログラム。
【発明の詳細な説明】
【技術分野】
【０００１】
本発明は、事物を比較する際に物理要素の指定を不要し、ユーザに対し比較を容易に行えるような比較結果情報を提示するための技術に関するものである。
【背景技術】
【０００２】
非特許文献１では、事物を比較する際にユーザが指定した物理要素以外を非表示にすることで比較を容易にするインタフェースを提案している。しかしながら、ユーザは、要素を指定しなければならず、面倒である。例えば、いつも利用する店舗の近くに安さで有名な店舗ができた場合、ユーザは店舗同士を「価格帯」という物理要素で比較するであろうから、「価格帯」と指定しなければならない。例えば、所有するカメラよりも画素数が向上したカメラが発売された場合、ユーザはカメラ同士を「画素数」という物理要素で比較するであろうから、「画素数」と指定しなければならない。
【先行技術文献】
【非特許文献】
【０００３】
【非特許文献１】田島敬史、「モバイル機器の小画面上での表データ表示インタフェース」, 電子情報通信学会 第19回データ工学ワークショップ. (DEWS2008), No. A4-3, 2008.
【発明の概要】
【発明が解決しようとする課題】
【０００４】
本発明は、上記の課題に鑑みてなされたものであり、その目的とするところは、事物を比較する際に物理要素の指定を不要し、ユーザに対し比較を容易に行えるような比較結果情報を提示するための技術を提供することにある。
【課題を解決するための手段】
【０００５】
上記の課題を解決するために、第１の本発明に係る情報提示装置は、事物に関する物理要素の物理要素名、当該物理要素について当該事物がもつ物理要素値を含む物理要素情報と当該事物の事物ＩＤとを含むレコードが蓄積される物理要素ＤＢを用いて、前記物理要素名と当該物理要素名の物理要素について対象ユーザが使用する印象単語とを含む対応付情報を物理要素印象単語対応付ＤＢに生成する印象対応付処理部と、前記事物ＩＤと印象単語の組につき、該当の事物に対して当該印象単語が重要であると前記対象ユーザが感じる程度を示す印象単語重要度、当該印象単語を含む印象単語重要度情報を生成し、各事物ＩＤにつき、該当の印象単語重要度情報と事物ＩＤとを含むレコードを印象ＤＢに生成する印象抽出処理部と、前記物理要素ＤＢにおける事物ＩＤと該当の物理要素名と該当の物理要素値の組について、当該組の物理要素名の物理要素に関する全ての物理要素値で、当該組の物理要素値を正規化してなる要素値を計算するとともに、前記印象ＤＢにおける事物ＩＤと該当の物理要素名の組について、当該組に関する全ての印象単語重要度を正規化してなる重み値を計算し、当該要素値と当該重み値とを含む物理要素値重み情報を生成し、当該物理要素値重み情報と当該事物ＩＤとを含むレコードを構造化ＤＢに生成する構造化処理部とを備えることを特徴とする。
【０００６】
第２の本発明に係る情報提示装置の動作方法は、事物に関する物理要素の物理要素名、当該物理要素について当該事物がもつ物理要素値を含む物理要素情報と当該事物の事物ＩＤとを含むレコードが蓄積される物理要素ＤＢを用いて、前記物理要素名と当該物理要素名の物理要素について対象ユーザが使用する印象単語とを含む対応付情報を物理要素印象単語対応付ＤＢに生成するステップと、前記事物ＩＤと印象単語の組につき、該当の事物に対して当該印象単語が重要であると前記対象ユーザが感じる程度を示す印象単語重要度、当該印象単語を含む印象単語重要度情報を生成し、各事物ＩＤにつき、該当の印象単語重要度情報と事物ＩＤとを含むレコードを印象ＤＢに生成するステップと、前記物理要素ＤＢにおける事物ＩＤと該当の物理要素名と該当の物理要素値の組について、当該組の物理要素名の物理要素に関する全ての物理要素値で、当該組の物理要素値を正規化してなる要素値を計算するとともに、前記印象ＤＢにおける事物ＩＤと該当の物理要素名の組について、当該組に関する全ての印象単語重要度を正規化してなる重み値を計算し、当該要素値と当該重み値とを含む物理要素値重み情報を生成し、当該物理要素値重み情報と当該事物ＩＤとを含むレコードを構造化ＤＢに生成するステップとを備えることを特徴とする。
【０００７】
第３の本発明に係る情報提示装置の動作方法は、事物と当該事物が属するカテゴリとが入力されたことを契機として、前記事物の事物名と前記カテゴリに属する事物の事物名と当該両事物に関する物理要素名および物理要素値をあわせて表示することを特徴とする。
【発明の効果】
【０００８】
本発明によれば、事物を比較する際に物理要素の指定を不要し、ユーザに対し比較を容易に行えるような比較結果情報を提示することができる。
【図面の簡単な説明】
【０００９】
【図１】図１は、本実施の形態に係る情報提示装置の構成を示す図である。
【図２】図２は、事物ＤＢ１の一例を示す図である。
【図３】図３は、物理要素ＤＢ２の一例を示す図である。
【図４】図４は、印象単語群ＤＢ３の一例を示す図である。
【図５】図５は、物理要素印象単語対応付ＤＢ４の一例を示す図である。
【図６】図６は、印象ＤＢ５の一例を示す図である。
【図７】図７は、構造化ＤＢ６の一例を示す図である。
【図８】図８は、入力インタフェースの一例を示す図である。
【図９】図９は、情報提示処理部１５における処理の流れを示す図である。
【図１０】図１０は、比較方法別の処理の一例を示す図である。
【図１１】図１１は、比較結果情報の表示例を示す図である。
【発明を実施するための形態】
【００１０】
以下、本発明の実施の形態について図面を参照して説明する。
【００１１】
図１は、本実施の形態に係る情報提示装置の構成を示す図である。 
情報提示装置は、事物同士の比較結果を得たいユーザ（以下、対象ユーザ）やサービス提供者に使用されるものであり、事物データベース（以下、データベースをＤＢと記す）ＤＢ１、物理要素ＤＢ２、印象単語群ＤＢ３、物理要素印象単語対応付ＤＢ４、印象ＤＢ５、構造化ＤＢ６、物理要素抽出処理部１１、印象対応付処理部１２、印象抽出処理部１３、構造化処理部１４、情報提示処理部１５、表示部１６を備える。
【００１２】
事物は、例えば、レストランなどの店舗、カメラなど、比較可能なものあればよい。また、事物は、対象ユーザが使用、利用するものなどに限ってもよい。
【００１３】
情報提示装置の構成要素は分散されていてもよく、例えば、表示部１６は対象ユーザに使用される端末（スマートフォンなど）に設け、その他の構成要素は、端末と通信可能なサーバに設けてもよい。
【００１４】
図２は、事物ＤＢ１の一例を示す図である。 
事物ＤＢ１は、複数の事物のそれぞれについてのレコードを含む。レコードは、該当事物の事物名および事物ＩＤ、当該事物が属する１以上のカテゴリを含む。事物名は、「レストランＡ」、「カフェＢ」、「Ａ社製モデル２９５６」のような事物の具体的な名前である。
【００１５】
事物ＤＢ１の情報源は任意であり、例としては、サービス提供者や、書籍や、一般に公開されているデータベース、ウェブ上の情報、等が考えられる。 
事物ＤＢ１は、オントロジを構成する既存技術（OWLウェブ・オントロジー言語http://www.asahi-net.or.jp/~ax2s-kmtn/internet/rec-owl-guide-20040210.html等）等により階層を設けて構造化してもよい。階層を設けることで、例えば同じ店舗というカテゴリ内で、居酒屋とイタリアンレストランとの間を比較する、といった比較における特定の階層の指定や、異なる階層間での比較が可能となる。そのため、比較したい特定の階層を入力に追加してもよい。
【００１６】
図３は、物理要素ＤＢ２の一例を示す図である。 
物理要素ＤＢ２には、事物に関する物理要素の物理要素名、当該物理要素について当該事物がもつ客観的な数値である物理要素値を含む物理要素情報と当該事物の事物ＩＤとを含むレコードが蓄積される。レコードには、例えば、互いに異なる複数の物理要素のそれぞれについての物理要素情報が含まれる。
【００１７】
例えば、カテゴリ「店舗」に属する事物の物理要素名は、「価格帯」、「席数」、「家族利用数」などである。例えば、カテゴリ「カメラ」に属する事物の物理要素名は、「重さ」、「画素数」、「厚さ」などである。物理要素は、属性などと言い換えることができる。
【００１８】
例えば、レストランＡでの平均的な支払い額が２０００円だとすると、そのレストランに対応するレコードには、物理要素名「価格帯」と物理要素値「２０００」を含む物理要素情報が格納される。例えば、物理要素値「２０００」の単位は「円」だが、これは物理要素名「価格帯」に対応づけておけばよい。
【００１９】
例えば、Ａ社製モデル２９５６というカメラの重さが２３０ｇだとすると、そのカメラに対応するレコードには、物理要素名「重さ」と物理要素値「２３０」を含む物理要素情報が格納される。例えば、物理要素値「２３０」の単位は「ｇ」だが、これは物理要素名「重さ」に対応づけておけばよい。物理要素値の粒度は予め定めておいてもよく、また、粒度を任意としてもよい。
【００２０】
物理要素ＤＢ２の情報源は任意であり、例としてはサービス提供者や、書籍や、一般に公開されているデータベース、ウェブ上の情報、等が考えられる。
【００２１】
図４は、印象単語群ＤＢ３の一例を示す図である。 
印象単語群ＤＢ３には、複数の印象単語が記憶される。印象単語群ＤＢ３の情報源は任意であり、例としてはサービス提供者や、書籍や、一般に公開されているデータベース、ウェブ上の情報、等が考えられる。
【００２２】
図５は、物理要素印象単語対応付ＤＢ４の一例を示す図である。 
物理要素印象単語対応付ＤＢ４には、物理要素名と当該物理要素名の物理要素について対象ユーザが使用する印象単語とを含む対応付情報が蓄積される。
【００２３】
図６は、印象ＤＢ５の一例を示す図である。 
印象ＤＢ５には、事物ＩＤと当該事物ＩＤの事物の物理要素についての物理要素名と当該物理要素についての印象単語の組について、該当の事物に対して当該印象単語が重要であると対象ユーザが感じる程度を示す印象単語重要度が外部から入力され、当該印象単語重要度、当該印象単語を含む印象単語重要度情報が生成されるので、当該印象単語重要度情報と当該事物ＩＤとを含むレコードが蓄積される。レコードには、例えば、互いに異なる複数の印象単語のそれぞれについての印象単語重要度情報が含まれる。
【００２４】
図７は、構造化ＤＢ６の一例を示す図である。 
構造化ＤＢ６は、事物に関する物理要素について当該事物がもつ物理要素値を正規化した要素値、当該物理要素に対して対象ユーザが使用する印象単語が重要であると当該対象ユーザが感じる程度を示す印象単語重要度を正規化した重み値が計算され、当該要素値と当該重み値を含む物理要素値重み情報が生成されるので、当該物理要素値重み情報と当該事物の事物ＩＤとを含むレコードが蓄積される。レコードには、例えば、互いに異なる複数の物理要素のそれぞれについての物理要素値重み情報が含まれる。
【００２５】
図１に戻り、本実施の形態で行われる処理を事前処理、情報提示処理の順で述べる。
【００２６】
（事前処理）
物理要素抽出処理部１１は、事物ＤＢ１内の全事物ＩＤのそれぞれにつき、物理要素ＤＢ２にレコードを生成し、レコードに、該当の事物ＩＤ、物理要素情報を格納する。
【００２７】
印象対応付処理部１２は、外部からの操作等にて、物理要素ＤＢ２内の各物理要素名につき、印象単語群ＤＢ３から印象単語が選択されるので、印象対応付処理部１２は、当該物理要素名と当該印象単語とを含む対応付情報を生成し、物理要素印象単語対応付ＤＢ４に格納する。２以上の印象単語が選択された場合、印象対応付処理部１２は、各印象単語について、対応付情報を生成し格納する。
【００２８】
どの印象単語が選択されるかは、例えば、対象ユーザのブログや口コミや商品レビューや利用者アンケートやインタビューの結果など（以下、対象ユーザのブログ等という）でどのような印象単語が使用されているかを基に決定される。例えば、対象ユーザがレストランＡの価格帯について「高い」と感じ、そのような文章をブログなどに残している場合は、印象単語「高い」が選択される。例えば、対象ユーザがＡ社製モデル２９５６というカメラの重さについて「重い」と感じ、そのような文章を商品レビューに残している場合は、印象単語「重い」が選択される。
【００２９】
印象抽出処理部１３は、事物ＤＢ１内の事物ＩＤと物理要素印象単語対応付ＤＢ４内の印象単語の組につき、該当の事物に対して印象単語が重要であると対象ユーザが感じる程度を示す印象単語重要度が外部からの操作等にて与えられるので、当該印象単語重要度と当該印象単語を含む印象単語重要度情報を生成し、各事物ＩＤにつき、該当の印象単語重要度情報と事物ＩＤとを含むレコードを印象ＤＢ５に生成する。 
印象単語重要度は、事物に対して印象単語が重要であるとユーザが強く感じる程高く設定される。
【００３０】
どの程度の印象単語重要度が設定されるかは、対象ユーザのブログ等で対象ユーザが該当事物に対して該当印象単語がどの程度重要であると感じているかを示す文章があるならその文章などを基に決定される。例えば、レストランＡの価格帯について使用した「高い」の使用頻度が高い場合は、印象単語重要度も高く設定される。例えば、Ａ社製モデル２９５６というカメラの重さについて使用した「重い」の使用頻度が低い場合は、印象単語重要度も低く設定される。印象単語の解析は、例えば、なずき（日本語解析エンジンなずき, NTTデータ,http://www.nttdata-nazuki.jp/index.html）等のツールを利用する方法が考えられる。
【００３１】
構造化処理部１４は、印象ＤＢ５内の全事物ＩＤのそれぞれにつき、構造化ＤＢ６にレコードを生成し、レコードに、該当の事物ＩＤ、物理要素値重み情報を格納する。
【００３２】
ここでは、構造化処理部１４は、物理要素ＤＢ２における事物ＩＤと該当の物理要素名と該当の物理要素値の組について、当該組の物理要素名の物理要素に関する全ての物理要素値で、当該組の物理要素値を正規化してなる要素値を計算する。
【００３３】
具体的には、構造化処理部１４は、要素値を式（１）により計算する。 
【数１】
2015121915.tif 000003
【００３４】
なお、ｕｉ，ｍａｘ、ｕｉ，ｍｉｎは、それぞれ物理要素ｉに対応する物理要素値の取り得る範囲の中の最大値、最小値でもよい。
【００３５】
また、構造化処理部１４は、印象ＤＢ５における事物ＩＤと該当の物理要素名の組のそれぞれについて、当該組に関する全ての印象単語重要度を正規化してなる重み値を計算する。
【００３６】
具体的には、構造化処理部１４は、重み値を式（２）により計算する。 
【数２】
2015121915.tif 000004
【００３７】
重み値は、該当事物に関する対象ユーザの印象に該当物理要素がどの程度影響するかを示す値でもある。 
以上の事前処理が終わると情報提示処理が可能となる。
【００３８】
（情報提示処理）
図８は、入力インタフェースの一例を示す図である。 
情報提示処理部１５は、図のような入力インタフェースを表示する。対象ユーザは、例えば、カメラというカテゴリを別途入力する。そして、プルダウンメニューＭ１を操作すると、情報提示処理部１５は、事物ＤＢ１内の当該カテゴリに該当する複数の事物名を表示させる。対象ユーザは、操作により、所望の１つを選択する。
【００３９】
例えば、対象ユーザは、自身が所有しているカメラを示す事物名（例えば、Ａ社製モデル２９５６）を選択する。
【００４０】
また、プルダウンメニューＭ２を操作すると、情報提示処理部１５は、「例示」、「差異比較」、「類似比較」という３つの比較方法を表示させる。対象ユーザは、操作により、所望の１つを選択する。
【００４１】
また、プルダウンメニューＭ３を操作すると、情報提示処理部１５は、事物ＤＢ１から、前述の入力されたカテゴリと同一のカテゴリを含むレコード（プルダウンメニューＭ１で選択された事物名を含むレコードを除く）を検索し、レコードから事物名を読み出し、そのような事物名を複数表示させる。対象ユーザは、操作により、所望の１つを選択する。
【００４２】
例えば、対象ユーザは、購入したいカメラを示す事物名（例えば、Ｂ社製モデルＰ−１０）を選択する。
【００４３】
なお、プルダウンメニューＭ３の操作による事物名の選択は省略してもよい。 
例えば、手元の情報を変換したい場合（例えば、本実施の形態の機能をウェブコンテンツに記載された内容を変換するツールとして、ブラウザ上で入力する場合や、辞書ツールとして端末上で入力する場合）には、プルダウンメニューＭ３からの事物名の選択は省略される可能性がある。
【００４４】
以上の操作を終えたら、ユーザは、提示ボタンＢ１を操作する。
【００４５】
図９は、情報提示処理部１５における処理の流れを示す図である。 
情報提示処理部１５は、提示ボタンＢ１が操作されたなら、プルダウンメニューＭ１から選択された事物名に対応する事物ＩＤを含むレコードを構造化ＤＢ６から読み出す（Ｓ１）。
【００４６】
次に、情報提示処理部１５は、プルダウンメニューＭ３から比較対象の事物名が選択されたか否かを判定する（Ｓ３）。
【００４７】
情報提示処理部１５は、プルダウンメニューＭ３から比較対象の事物名が選択されなかったなら（Ｓ３：ＮＯ）、プルダウンメニューＭ２から選択された比較方法と事物ＤＢ１と構造化ＤＢ６に基づいて、比較対象の事物を決定する（Ｓ５）。
【００４８】
ここでは、情報提示処理部１５は、事物ＤＢ１から、前述の入力されたカテゴリと同一のカテゴリを含むレコード（プルダウンメニューＭ１で選択された事物名を含むレコードを除く）を検索し、当該レコードから事物ＩＤを読み出す（Ｓ７）。例えば、このような条件に合致する事物ＩＤが複数読み出される。そして、情報提示処理部１５は、構造化ＤＢ６から、各事物ＩＤを含むレコード（比較対象レコードという）を検索する。
【００４９】
図１０は、比較方法別の処理（Ｓ５）の一例を示す図である。
【００５０】
情報提示処理部１５は、比較方法が「例示」であるなら、例えば、ステップＳ１で読み出したレコードと、比較対象レコードとの類似度を計算し、最大の類似度に対応する事物名を比較対象として選択する。類似度の計算には、下記参考文献に記載された類似度の算出式を使用できる。
【００５１】
Rika Mochizuki, Tomoki Watanabe, Toru Kobayashi, “Emotion Communication Model based on Life-Log Comparison - Mutual understanding through comparable experiences -”, IEEE/IPSJ, SAINT2012, pp.91-99, 2012.
【００５２】
情報提示処理部１５は、比較方法が「差異比較」であるなら、例えば、ステップＳ１で読み出したレコードから最大の重み値を選択し、当該重み値を含む物理要素値重み情報から要素値を読み出し、当該要素値に対応する物理要素名についての比較対象レコードの要素値から、読み出した要素値との差が最小となる要素値を選択し、当該要素値を含む比較対象レコードの事物を比較対象として選択する。つまり、比較対象を１つに絞りこむ。
【００５３】
情報提示処理部１５は、比較方法が「類似比較」であるなら、例えば、ステップＳ１で読み出したレコードの任意の重み値を読み出し、当該重み値に対応する物理要素名についての比較対象レコードの重み値から、読み出した重み値との差が最小となる重み値を選択し、当該重み値を含む比較対象レコードの事物を比較対象として選択する。つまり、比較対象を１つに絞りこむ。
【００５４】
図９に戻り、情報提示処理部１５は、プルダウンメニューＭ３から比較対象の事物名が選択されたなら（Ｓ３：ＹＥＳ）、または、ステップＳ５で比較対象の事物が選択されたなら（事物が絞り込まれたなら）、物理要素ＤＢ２から、プルダウンメニューＭ１から選択された事物名を含むレコードと、比較対象の事物名を含むレコードとを読み出し、それぞれのレコードに共通な各物理要素名について、物理要素名に対応づけて一方のレコードの物理要素値と他方のレコードの物理要素値とが並記されるような比較結果情報を生成し、表示部１６に表示し（Ｓ７）、処理を終える。
【００５５】
図１１は、比較結果情報の表示例を示す図である。 
図は、比較方法が「類似比較」である場合の表示例であり、例えば、プルダウンメニューＭ１から選択された事物名と比較対象の事物名（プルダウンメニューＭ３から選択された事物名または絞りこまれた事物の事物名）が画面上部において並んで表示される。その下には、物理要素名「画素数」に対応づけて、物理要素値「１５００万」とその単位「画素」、物理要素値「１２００万」とその単位「画素」が並んで表示される。その下には、物理要素名「撮影可能枚数」に対応づけて、物理要素値「２６０」とその単位「枚」、物理要素値「２４０」とその単位「枚」が並んで表示される。その下には、物理要素名「光学ズーム」に対応づけて、物理要素値「２０」とその単位「倍」、物理要素値「５」とその単位「倍」が並んで表示される。
【００５６】
すなわち、「類似比較」では、「画素数」が「１５００万」と「１２００万」で類似しており、また、「撮影可能枚数」も「２６０」と「２４０」で類似しているので、これらが優先して表示される。
【００５７】
一方、図示しないが、比較方法が「差異比較」であり、「画素数」が「１５００万」と「１０万」で差異が大きく、また、「撮影可能枚数」も「２６０」と「１０」で差異が大きいなら、これらが優先して表示される。
【００５８】
以上のように、本実施の形態によれば、対象ユーザが事物を比較する際に、印象単語と印象単語重要度を定義しておくことで、対象ユーザが指定しなくとも自動的に重要な物理要素を優先した比較結果情報を提示することができる。それにより、表示可能な情報量が少ない表示部１６の画面においても、また、対象ユーザが指定したい物理要素がない場合でも、対象ユーザの需要が高いと想定される物理要素を優先した比較結果情報を提示することができる。つまり、事物間の類似性/差異をわかりやすく提示することができる。
【００５９】
また、本実施の形態の情報提示装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００６０】
１…事物ＤＢ
２…物理要素ＤＢ
３…印象単語群ＤＢ
４…物理要素印象単語対応付ＤＢ
５…印象ＤＢ
６…構造化ＤＢ
１１…物理要素抽出処理部
１２…印象対応付処理部
１３…印象抽出処理部
１４…構造化処理部
１５…情報提示処理部
１６…表示部
【図１】
2015121915.tif 000007
【図２】
2015121915.tif 000008
【図３】
2015121915.tif 000009
【図４】
2015121915.tif 000010
【図５】
2015121915.tif 000011
【図６】
2015121915.tif 000012
【図７】
2015121915.tif 000013
【図８】
2015121915.tif 000014
【図９】
2015121915.tif 000015
【図１０】
2015121915.tif 000016
【図１１】
2015121915.tif 000017